(57)【要約】　　　（修正有）【課題】高さが調整できるように支持し、調整方法が簡単である支持台装置及びそれを用いたディスプレイを提供する。【解決手段】載置面に安置する台座１１と、上端が開口している直立収容空間を有する支持枠１２と、直立収容空間内に上下摺動可能に内蔵されていて、上の第１の位置と下の第２の位置との２の位置の間に昇降できる支持ポスト１３と、軸棒１４と、軸棒の外周面に巻き付き、その先端が引き出されて支持枠の開口近くに固定されており、支持ポストが第１の位置から第２の位置へ移動されると、変形して上へ向く弾性付勢力を支持ポストに与えるように設けられている渦巻ばねの弾性付勢手段１５とからなる。【選択図】　　　図３
0003098199.tif 000002
【実用新案登録請求の範囲】
【請求項１】
物品を平らな載置面に対し上下移動可能に支持する支持台装置であって、
前記載置面に安置する台座と、
この台座から立ち上がり、その内部に前記載置面と垂直し、且つ上端が開口している直立収容空間を有する支持枠と、
上下２端部があり、その上端部が前記物品を連結支持するためのものであり、下端部が前記直立収容空間内に上下摺動可能に内蔵されていて、上の第１の位置と下の第２の位置との２の位置の間に昇降できる支持ポストと、
前記支持ポストの下端部を横断して設けられている軸棒と、
前記軸棒の外周面に巻き付き、且つその先端が引き出されて前記支持枠の開口近くに固定されており、前記支持ポストが前記第１の位置から前記第２の位置へ移動されると、変形して上へ向く弾性付勢力を前記支持ポストに与えるように設けられている弾性付勢手段とからなることを特徴とする支持高さが調節可能な支持台装置。
【請求項２】
前記台座は、前記載置面に安置する安置ユニットと、上から面対面で前記安置ユニットに軸支されている回転ユニットとからなり、また、前記支持枠は、前記回転ユニットの上面から立ち上がっていることを特徴とする請求項１に記載の支持高さが調節可能な支持台装置。
【請求項３】
前記弾性付勢手段は、円筒状に巻いて、円筒状の左右両端開口に、それぞれ、前記円筒状の巻き状態を保持する制限保持部材が一部挿入され、
また、前記軸棒は、前記２の制限保持部材を貫通して前記支持ポストの下端部に回転可能に軸支されていることを特徴とする請求項１に記載の支持高さが調節可能な支持台装置。
【請求項４】
前記支持枠の一面に、前記直立方向に沿って開槽が形成してあり、
前記支持ポストの下端部に、幅が前記開槽の幅よりやや大である制限片が、前記支持枠外から前記開槽を経由して固定され、前記支持ポストと前記支持枠とを脱着不能に結合していることを特徴とする請求項１に記載の支持高さが調節可能な支持台装置。
【請求項５】
映像を表示するフラットパネル型表示装置と、前記表示装置を平らな載置面に対し上下移動可能に支持する支持台装置とからなり、
前記支持台装置は、
前記載置面に安置する台座と、
この台座から立ち上がり、その内部に前記載置面と垂直し、且つ上端が開口している直立収容空間を有する支持枠と、
上下２端部があり、その上端部が前記表示装置を連結支持するためのものであり、下端部が前記直立収容空間内に上下摺動可能に内蔵されていて、上の第１の位置と下の第２の位置との２の位置の間に昇降できる支持ポストと、
前記支持ポストの下端部を横断して設けられている軸棒と、
前記軸棒の外周面に巻き付き、且つその先端が引き出されて前記支持枠の開口近くに固定されており、前記支持ポストが前記第１の位置から前記第２の位置へ移動されると、変形して上へ向く弾性付勢力を前記支持ポストに与えるように設けられている弾性付勢手段とからなることを特徴とするディスプレイ。
【考案の詳細な説明】
【０００１】
【考案の属する技術分野】
本考案は、支持高さが調節可能な支持台装置及びそれを用いたディスプレイに関し、特に例えば液晶表示装置などの物品をデスクなどの平らな載置面に対し上下移動可能に支持する支持台装置及びそれを用いたディスプレイに関する。
【０００２】
【従来の技術】
近年、卓上型のパソコンにおいては、小型且つ軽量である液晶ディスプレイが、従来の大型のＣＲＴディスプレイに代えて市場上の主流となっている。液晶ディスプレイ３は、図１及び図２に示すように、主として、映像を表示するフラットパネル型液晶表示装置３１と、前記液晶表示装置３１をデスクなどの平らな載置面上に支持する支持台装置３２とからなる。前記支持台装置３２は、各使用者が自己の習慣に応じて使用することができるべく、通常、枢接・軸支部材３３を備えるので、前記液晶表示装置３１を、図１に示すように俯仰できるのみならず、図２に示すように回転できるように支持することができる。しかしながら、各使用者の身長及び習慣が相違するので、前記液晶表示装置３１の高さを調整する必要がある場合がある。いままでの液晶ディスプレイ３の大部分は、液晶表示装置３１の高さを調整することができず、調整できても、調整方法も面倒くさく、例えば、ねじなどの部品を緩めてから始めて調整することができる。
【０００３】
その外、いままでの液晶表示装置用の支持台装置３２はまだ液晶表示装置３１をそのままの姿勢で載置面の面上に左右へ回動させることができるように支持していないので、前記液晶表示装置３１に表示されている文字や画面を使用者以外の人に展示しようとする場合、液晶ディスプレイ３全体を回動しなければならないので、使用上にかなり不便であるという欠点がある。
【０００４】
【考案が解決しようとする課題】
上記に鑑みて、本考案の第１の目的は、前記支持台装置の構造を改善し、即ち、液晶表示装置などの物品をその高さが調整できるように支持し、且つ調整方法が簡単である支持台装置及びそれを用いたディスプレイを提供することにある。
【０００５】
本考案の第２の目的は、液晶ディスプレイ全体を回動させる必要がなく、液晶表示装置に表示されている文字や画面を使用者以外の人に展示することができる支持台装置及びそれを用いたディスプレイを提供することにある。
【０００６】
【課題を解決するための手段】
上記目的を達成するために、まず、物品を平らな載置面に対し上下移動可能に支持する支持台装置であって、前記載置面に安置する台座と、この台座から立ち上がり、その内部に前記載置面と垂直し、且つ上端が開口している直立収容空間を有する支持枠と、上下２端部があり、その上端部が前記物品を連結支持するためのものであり、下端部が前記直立収容空間内に上下摺動可能に内蔵されていて、上の第１の位置と下の第２の位置との２の位置の間に昇降できる支持ポストと、前記支持ポストの下端部を横断して設けられている軸棒と、前記軸棒の外周面に巻き付き、且つその先端が引き出されて前記支持枠の開口近くに固定されており、前記支持ポストが前記第１の位置から前記第２の位置へ移動されると、変形して上へ向く弾性付勢力を前記支持ポストに与えるように設けられている弾性付勢手段とからなることを特徴とする支持高さが調節可能な支持台装置を提供する。
【０００７】
この構成による支持台装置は、例えば液晶表示装置などの物品と連結した後、前記表示装置の重力により前記弾性付勢手段が変形して上への支持力を生じ、前記支持ポストにかかって前記表示装置を支持している。この時、前記表示装置の重力、前記弾性付勢手段の支持力乃至前記支持ポストと前記支持枠との間の摩擦力の三者の間のバランスにより、前記表示装置が静止状態になっている。前記表示装置を上下移動させようとする場合、最大静止摩擦力より大きい力を与えることのみにより、前記表示装置を任意の高さに昇降させ、且つ前記三者の間のバランスにより前記任意の高さに停止させることができる。即ち、他のステップが必要でなく、前記表示装置を上下移動させることのみによって、前記表示装置の高さを調整することができる。
【０００８】
そして、前記台座は、前記載置面に安置する安置ユニットと、上から面対面で前記安置ユニットに軸支されている回転ユニットとからなり、また、前記支持枠は、前記回転ユニットの上面から立ち上がっていることが好ましい。それにより、前記表示装置などの物品だけを回動させ、該表示装置に表示されている文字や画面を使用者以外の人に展示することができる。
【０００９】
そして、更に、上記の支持台装置を用いて表示装置を支持してなるディスプレイ、例えば、映像を表示するフラットパネル型表示装置と、前記表示装置を平らな載置面に対し上下移動可能に支持する支持台装置とからなり、前記支持台装置は、前記載置面に安置する台座と、この台座から立ち上がり、その内部に前記載置面と垂直し、且つ上端が開口している直立収容空間を有する支持枠と、上下２端部があり、その上端部が前記表示装置を連結支持するためのものであり、下端部が前記直立収容空間内に上下摺動可能に内蔵されていて、上の第１の位置と下の第２の位置との２の位置の間に昇降できる支持ポストと、前記支持ポストの下端部を横断して設けられている軸棒と、前記軸棒の外周面に巻き付き、且つその先端が引き出されて前記支持枠の開口近くに固定されており、前記支持ポストが前記第１の位置から前記第２の位置へ移動されると、変形して上へ向く弾性付勢力を前記支持ポストに与えるように設けられている弾性付勢手段とからなることを特徴とするディスプレイを提供する。
【００１０】
この構成によるディスプレイは、上記のように、前記表示装置が自由に昇降されて任意の高さに停止することができるのみならず、昇降方法もかなり簡単である。
【００１１】
【考案の実施の形態】
以下、本考案の支持高さが調節可能な支持台装置及びそれを用いたディスプレイの好ましい実施形態を詳しく説明する。
【００１２】
本考案の支持台装置１は、例えば液晶表示装置２（映像を表示するフラットパネル型表示装置）などの物品をデスクなどの平らな載置面に対し上下移動可能に支持するためのものであり、即ちディスプレイ用の支持台装置である。図３は、本考案の支持台装置及びそれを用いたディスプレイの好ましい実施形態を示す分解斜視図である。図示のように、該支持台装置１は、主として、載置面に安置する円盤状の台座１１と、この台座１１から立ち上がり、その内部に載置面と垂直し、且つ上端が開口している直立収容空間１２２を有する支持枠１２と、上下２端部があり、その上端部が連接組み１６（詳しい構成が後述する）を介して表示装置２を連結支持するためのものであり、下端部が直立収容空間１２２内に上下摺動可能に内蔵されている支持ポスト１３と、支持ポスト１３の下端部を横断して設けられている軸棒１４と、軸棒１４の外周面に巻き付き、且つその先端１５１が引き出されて支持枠１２の開口近くに固定されている弾性付勢手段１５とからなる。
【００１３】
更に詳しく説明すると、台座１１は、前記載置面に安置する円盤状の安置ユニット１１１と、上から面対面で安置ユニット１１１に回転可能に軸支されている円盤状の回転ユニット１１２とからなる。支持枠１２は、前記円盤状の回転ユニット１１２の上面から立ち上がっている。
【００１４】
また、支持枠１２の一面に、前記直立方向に沿って開槽１２３が形成してあり、支持ポスト１３の下端部に、最大部分の幅が開槽１２３の幅よりやや大である制限片１３１が、支持枠１２外から開槽１２３を経由して固定され、支持ポスト１３と支持枠１２とを脱着不能に結合している。
【００１５】
そして、支持ポスト１３と支持枠１２との間の隙間を補填するために、支持ポスト１３の左右両側にそれぞれ補填片１３２を更に備えている。それにより、支持ポスト１３の直立収容空間１２２内の上下摺動時に左右偏移を生じないことを確保することができる。なお、図３〜図５に示すように、弾性付勢手段１５として、本実施形態において、渦巻ばねが使用されている。該渦巻ばねは、円筒状に巻いて、円筒状の左右両端開口に、それぞれ、前記円筒状の巻き状態を保持する制限保持部材１５２，１５２が一部挿入されている。軸棒１４は、２の制限保持部材１５２，１５２を貫通してその両端で支持ポスト１３の下端部に回転可能に軸支されている。
【００１６】
そして、図３及び図６に示すように、支持枠１２の開口近くには、前記直立方向に沿って開口が上に向いている左右２の凹槽１２４，１２４が形成してある。弾性付勢手段１５の先端１５１には、左右２のラグ１５３，１５３が形成してある。該弾性付勢手段１５の先端１５１の支持枠１２への取付は、図６に示すように、左右２のラグ１５３，１５３を左右２の凹槽１２４，１２４に挿入してからねじを介して固定されることにより完成されている。表示装置２と支持ポスト１３の上端部とを連接する連接組み１６は、図３に示すように、表示装置２の背面と結合する平板１６１と、平板１６１を軸支すると共に支持ポスト１３の上端部の左右両側に枢支されている軸支・枢接部材１６２とからなる。
【００１７】
なお、ディスプレイ全体の外観の良さを図るために、連接組み１６の平板１６１及び軸支・枢接部材１６２、並びに支持ポスト１３、支持枠１２の外面にそれぞれ飾枠１６３、１６４、１３５、１２５が設けられている。該飾枠１６３、１６４、１３５、１２５は、支持台装置１と表示装置２との組立てが済んだ後、始めて取付けられる。
【００１８】
上記構成による支持台装置１は、例えば液晶表示装置２などの物品と連結した後、表示装置２の重力により弾性付勢手段１５が引張られて変形して上への支持力を生じ、支持ポスト１３にかかって表示装置２を支持している。この時、表示装置２の重力、弾性付勢手段１３の支持力乃至支持ポスト１３と支持枠１２との間の摩擦力の三者の間のバランスにより、表示装置２が図８のような上の第１の位置に止まって静止状態になっている。表示装置２を下へ移動させようとする場合、最大静止摩擦力よりやや大きい力を与えることのみにより、表示装置２を図９のような下の第２の位置に下降させ、且つ前記三者の間のバランスにより該第２の位置に停止させることができる。即ち、表示装置２は、昇降されて任意の高さに停止することができる。また、表示装置２を上下移動させることのみにより表示装置２の高さを調整することができるので、高さの調整方法がかなり簡単である。
【００１９】
また、弾性付勢手段１５は、表示装置２のサイズに応じて選択され、即ち、表示装置２のサイズが重ければ重いほど、ねじり力の強いものを使用する必要がある。例えば、液晶表示装置が１５インチのものであれば、１９〜２４．５ｋｇ／ｃｍのねじり力を持つ弾性付勢手段を使用し、１７インチのものであれば、３８．５〜４６．５ｋｇ／ｃｍのねじり力を持つ弾性付勢手段を使用することが好ましい。
【００２０】
そして、支持台装置１は、表示装置２との間に連接組み１６を備えているので、表示装置２を、図１０に示すように俯仰できるのみならず、図１１に示すように回転できるように支持することができる。本実施形態において、表示装置２は、３０度仰ぎ、５度俯けることができる。そして、安置ユニット１１１と回転ユニット１１２とは軸支状態と呈するので、表示装置２を、図１２に示すように、そのままの姿勢で載置面の面上に左右へ回動させることもできる。本実施形態においては、表示装置２は、左または右へ７５度回動することができる。それにより、前記表示装置２だけを回動させ、該表示装置２に表示されている文字や画面を使用者以外の人に展示することができる。
【００２１】
【考案の効果】
叙上のように、本考案の支持台装置は、支持された表示装置などの物品を上下移動させることができるのみでなく、該表示装置を俯仰、回転乃至回動させることができるので、各使用者は自己の習慣に応じて楽に使用することができる。
【００２２】
以上説明した実施の形態は、あくまでも本考案の技術的内容を明らかにする意図のものにおいてなされたものであり、本考案はそうした具体例に限定して狭義に解釈されるものではなく、本考案の精神とクレームに述べられた範囲で、いろいろと変更して実施できるものである。
【図面の簡単な説明】
【図１】従来のディスプレイの側面図である。
【図２】従来のディスプレイの正面図である。
【図３】本考案の支持台装置及びそれを用いたディスプレイの好ましい実施形態の分解斜視図である。
【図４】前記支持台装置における軸棒、弾性付勢手段及び制限保持部材の組立完成後の斜視図である。
【図５】前記支持台装置の一部拡大斜視図である。
【図６】前記支持台装置における支持ポストが支持枠内に組立てられる前の側面図である。
【図７】前記実施形態の組立完成後の斜視図である。
【図８】前記支持ポストが上の第１の位置にある場合の側面図である。
【図９】前記支持ポストが下の第２の位置にある場合の側面図である。
【図１０】前記実施形態における表示装置が俯仰する状態の側面図である。
【図１１】前記実施形態における表示装置が該表示装置と垂直する軸線を中心線として回転する状態の正面図である。
【図１２】前記実施形態における表示装置が載置面の面上に左右に回動する状態の斜視図である。
【符号の説明】
１　　支持台装置
１１　　台座
１１１　　安置ユニット
１１２　　回転ユニット
１２　　支持枠
１２２　　直立収容空間
１２３　　開槽
１２４　　凹槽
１２５　　飾枠
１３　　支持ポスト
１３１　　制限片
１３２　　補填片
１３５　　飾枠
１４　　軸棒
１５　　弾性付勢手段
１５１　　先端
１５２　　制限保持部材
１５３　　ラグ
１６　　連接組み
１６１　　平板
１６２　　軸支・枢接部材
１６３　　飾枠
１６４　　飾枠
２　　表示装置
【図１】
0003098199.tif 000003
【図２】
0003098199.tif 000004
【図３】
0003098199.tif 000005
【図４】
0003098199.tif 000006
【図５】
0003098199.tif 000007
【図６】
0003098199.tif 000008
【図７】
0003098199.tif 000009
【図８】
0003098199.tif 000010
【図９】
0003098199.tif 000011
【図１０】
0003098199.tif 000012
【図１１】
0003098199.tif 000013
【図１２】
0003098199.tif 000014